(57)【要約】【課題】本発明課題は、撮影装置および印刷装置で類似する検出器を有する場合に、ユーザの利便性を向上させることである。【解決手段】上記課題を解決するために、本発明に係る画像処理装置は、入力装置から画像データを入力し、画像データに対して画像処理を行う画像処理装置において、入力装置の検出器と画像処理装置の検出器の検出性能を比較し、検出性能が高いほうの検出器を選択する選択手段と、選択手段によって選択された検出器を用いて、画像データに検出処理を行う検出手段とを備えることを特徴とする。【選択図】図５
2010010947.tif 000002
【特許請求の範囲】
【請求項１】
入力装置から画像データを入力し、前記画像データに対して画像処理を行う画像処理装置において、
前記入力装置の検出器と前記画像処理装置の検出器の検出性能を比較し、検出性能が高いほうの検出器を選択する選択手段と、
前記選択手段によって選択された検出器を用いて、前記画像データに検出処理を行う検出手段とを備えることを特徴とする画像処理装置。
【請求項２】
前記選択手段による選択は、ユーザインターフェイス上で受け付けられることを特徴とする請求項１に記載の画像処理装置。
【請求項３】
前記選択手段による選択は、前記検出器のバージョンに基づいて実行されることを特徴とする請求項１に記載の画像処理装置。
【請求項４】
前記入力装置から入力された画像データを解析する解析手段と、
前記解析手段によって、前記画像データが印刷装置の不得手な画像データであるか否かを判定する画像の判定手段と、
前記画像の判定手段に基づいて撮影装置の検出器の性能を判定する検出器の性能の判定手段とをさらに備えることを特徴とする請求項１に記載の画像処理装置。
【請求項５】
前記選択手段による選択は、前記検出器の性能の判定手段の判定の結果に基づいて行われることを特徴とする請求項４に記載の画像処理装置。
【請求項６】
前記選択手段による選択に必要な情報が、データベースに格納されることを特徴とする請求項１に記載の画像処理装置。
【請求項７】
前記検出器の検出機能は、人物の顔を検出することであることを特徴とする請求項１乃至６のいずれかに記載の画像処理装置。
【請求項８】
入力装置から画像データを入力し、前記画像データに対して画像処理を行う画像処理装置において、
前記入力装置の検出器と前記画像処理装置の検出器の検出性能を比較し、検出性能が高いほうの検出器を選択する選択ステップと、
前記選択ステップによって選択された検出器を用いて、前記画像データに検出処理を行う検出ステップとを備えることを特徴とする画像処理方法。
【請求項９】
前記選択ステップによる選択は、ユーザインターフェイス上で受け付けられることを特徴とする請求項８に記載の画像処理方法。
【請求項１０】
前記選択ステップによる選択は、前記検出器のバージョンに基づいて実行されることを特徴とする請求項８に記載の画像処理方法。
【請求項１１】
前記入力装置から入力された入力画像データを解析する解析ステップと、
前記解析ステップによって、前記画像データが印刷装置の不得手な画像データであるか否かを判定する画像の判定ステップと、
前記画像の判定ステップに基づいて撮影装置の検出器の性能を判定する検出器の性能の判定ステップとをさらに備えることを特徴とする請求項８に記載の画像処理方法。
【請求項１２】
前記選択ステップによる選択は、前記検出器の性能の判定ステップの判定の結果に基づいて行われることを特徴とする請求項１１に記載の画像処理方法。
【請求項１３】
前記選択ステップによる選択に必要な情報が、データベースに格納されることを特徴とする請求項８に記載の画像処理方法。
【請求項１４】
前記検出器の検出機能は、人物の顔を検出することであることを特徴とする請求項８乃至１３のいずれかに記載の画像処理方法。
【請求項１５】
請求項８乃至１４のいずれかに記載の画像処理方法をコンピュータに実行させるためのプログラム。
【請求項１６】
請求項１５に記載のプログラムを記録したコンピュータで読み取り可能な記録媒体。
【発明の詳細な説明】
【技術分野】
【０００１】
本発明は、撮影装置と印刷装置で類似の検出処理が行われる場合に、効率的な画像処理を実現する画像処理装置、画像処理方法、プログラム、および記録媒体に関する。
【背景技術】
【０００２】
近年、デジタルカメラやデジタルビデオカメラ等の撮影装置（入力デバイス）では、撮影時に、被写体との焦点距離や露出設定を合わせるために、顔検出、人物検出等の被写体を検出する処理が行われる場合が多い。また、プリンタ等の印刷装置（出力デバイス）でも、被写体に合わせた補正処理を行うために、入力画像に対し、顔検出、人物検出等の被写体を検出する、撮影装置と同じような処理が行われる場合が多い。
【０００３】
例えば、特許文献１は、撮影装置に人物検出機能がある場合に、その座標データを画像データとともに読み出して、印刷装置による印刷時の補正に利用する方法を開示している。特許文献１では、撮影装置の人物座標情報に基づいて、画像範囲に対する所定の位置及び大きさとなるように人物データを拡大縮小及び変位する。そして、トリミング補正した画像データを、印刷装置で出力する画像処理方法が提案されている。
【０００４】
一方、特許文献２には、印刷装置における補正処理として、検出結果が不十分な場合に検出方法の条件を変更して、再検出を行って精度向上を図る画像処理方法が提案されている。
【０００５】
さらに、近年普及しているインクジェットプリンタのような印刷装置では、PCを介さずに、印刷装置が撮影装置の画像データを直接印刷する機能を有するものもあり、各種の画像補正処理技術も充実している。とりわけ、この数年の間に、人物の顔検出技術が実用レベルになり、撮影装置および印刷装置の両方に、人物の顔検出の機能が搭載されている製品が増加している。
【０００６】
【特許文献１】特開２００４−２０７９８７号公報
【特許文献２】特開平１１−２５０２２１号公報
【発明の開示】
【発明が解決しようとする課題】
【０００７】
しかしながら、顔検出を代表する検出技術の進化は目覚しいものがあり、日々、検出性能が向上し続けている。また、印刷装置本体の処理においては、性能の向上とともに処理負荷が増大する。加えて、印刷装置本体に搭載する機能は、製品リリース後の性能向上は容易なことではないため、ユーザが買い換えるまでは、性能が固定されてしまうことが多い。
【０００８】
さらに、ユーザの撮影装置と印刷装置の購入時期は、必ずしも一致しないため、どちらか一方の検出器の性能が著しく改善されているといったケースが起こりうる。
【０００９】
そこで、本発明は、撮影装置および印刷装置で類似する検出器を有する場合に、ユーザの利便性を向上させることができる画像処理装置および画像処理方法を提供することを目的とする。
【課題を解決するための手段】
【００１０】
上記課題を解決するために、本発明に係る画像処理装置は、入力装置から画像データを入力し、画像データに対して画像処理を行う画像処理装置において、入力装置の検出器と画像処理装置の検出器の検出性能を比較し、検出性能が高いほうの検出器を選択する選択手段と、選択手段によって選択された検出器を用いて、画像データに検出処理を行う検出手段とを備えることを特徴とする。
【発明の効果】
【００１１】
本発明によれば、ユーザが有する撮影装置と印刷装置の双方に、類似の検出器がある場合に、性能の高いものを選択することで効率的な画像処理を実行することができる。
【発明を実施するための最良の形態】
【００１２】
以下、図面を参照しながら本発明の実施形態を詳細に説明する。
＜実施形態１＞
図１は、本実施形態に係る印刷装置１０１のハードウェアの一例を示したものである。印刷装置は、ＣＰＵ１０２、ＲＯＭ１０３、ＲＡＭ１０４、さらに、印刷処理を行うためのプリンタエンジン１０５を保持している。また、印刷装置１０１は、原稿を読み取るためのスキャナエンジン１０７を有していても良い。
【００１３】
図１に示されているように、印刷装置１０１に内蔵するＣＰＵ１０２には、ＲＯＭ１０３、ＲＡＭ１０４、プリンタエンジン１０５、表示部１０６、スキャナエンジン１０７、ユーザインターフェイス１０８、シリアルＩ／Ｆ１０９が接続されている。ここで、Ｉ／Ｆは、インターフェイスの略である。また、シリアルＩ／Ｆ１０９には、外部機器１１０が接続される。
【００１４】
図１の表示部１０６は、プリントを行う際に用紙、印刷品位などの様々な設定を行うための表示装置である。また、図１のユーザインターフェイス１０８は、ボタン、タッチパネル等のユーザインターフェイスである。また、図１のシリアルＩ／Ｆ１０９は、パーソナルコンピュータ等の外部機器１１０と接続するためのインターフェイスである。上記デバイスが、システムバスを介して接続されている状態が、印刷装置内部の基本構造である。
【００１５】
なお、このほかにも印刷装置を構成する要素として様々なものが考えられる。たとえば、電源部や、用紙をハンドリングするためのフィーダ部や、ネットワークと直接接続するためのインターフェイスなどである。しかし、それらについては本実施形態では直接言及することはないため、ここでは説明を割愛する。
【００１６】
図２は、本実施形態で考えられる印刷環境の一例を示す図である。図２は、撮影装置で撮影された画像データが、印刷される形態を示したものである。
【００１７】
まず、撮影装置２０１で撮影された画像データは、メモリカード２０２に保存される。そして、メモリカード２０２は印刷装置２０３に接続され、撮影装置２０１により撮影された画像データが印刷装置２０３から印刷される。
【００１８】
ここで、撮影装置２０１と印刷装置２０３は、検出器を有しており、検出器には、撮影装置２０１から入力された画像中の顔を検出する検出機能を有している。ここで、検出器の検出機能は、撮影装置２０１から入力された画像中の顔の検出に限られない。
【００１９】
図３は、パーソナルコンピュータを主とした印刷環境の一例を示した図である。パーソナルコンピュータ３０３は、ハードディスクを保持している。
【００２０】
パーソナルコンピュータ３０３のハードディスクには、カードリーダ３０２を介してメモリカード３０１内の画像データが保存されても良い。
【００２１】
また、パーソナルコンピュータ３０３のハードディスクには、ルータ３０５を介してインターネット３０６に接続してダウンロードされた画像データが保存されても良い。  
また、パーソナルコンピュータ３０３のハードディスクには、上記以外の様々な経路から入手されたデータが保存されても良い。
【００２２】
パーソナルコンピュータ３０３のハードディスクに保存されたデータは、パーソナルコンピュータ３０３による制御により、印刷装置３０４から印刷される。
【００２３】
上記のように、本実施形態においては、撮影装置で作成された画像データを印刷装置で画像出力を行う形態について説明する。ここで、撮影装置とは、例えば、デジタルカメラでも良い。
【００２４】
撮影装置２０１で撮影された画像データは、一般的に、図４に示すようなＥｘｉｆフォーマット（Ｅｘｃｈａｎｇｅａｂｌｅ  ｉｍａｇｅ  ｆｉｌｅ  ｆｏｒｍａｔ）４０１で記録される。Ｅｘｉｆフォーマットでは、デバイス名（モデル名）や撮影時の情報がＥｘｉｆ必須タグ４０２として記録される。
【００２５】
撮影装置の検出器が顔領域検出などの機能を有する場合、その検出結果が、Ｅｘｉｆ必須タグ情報の一部の人物座標情報４０３として記録される。
【００２６】
すなわち、印刷装置は、入力画像のＥｘｉｆ必須タグ４０２を解析することで、撮影装置の検出器が顔検出機能を有するかどうかを判定することができる。
【００２７】
図５は、本実施形態における画像処理フローの一例を示す。図５に示されている処理は、例えば、印刷装置１０１のＣＰＵ１０２によって実行される。
【００２８】
まず、図５のステップＳ５０１で、撮影装置、印刷装置双方に、同様の顔検出機能を有する検出器が認証された場合に、ユーザに通知が行われる。この通知は、例えば、撮影装置あるいは印刷装置のユーザインターフェイス上に行われても良い。
【００２９】
次に、ステップＳ５０２で、撮影装置と印刷装置のどちらの検出器の顔検出機能を優先するかについての選択が受け付けられる。この選択は、例えば、撮影装置あるいは印刷装置のユーザインターフェイス上で受け付けられても良い。
【００３０】
例えば、撮影装置と印刷装置の購入時期やメーカーなどの情報に基づいて、撮影装置と印刷装置のどちらかの検出器の顔検出機能を優先するかが選択される。もし、撮影装置の顔検出性能が十分に信頼できるものであれば、撮影装置の検出機能を優先して印刷時に、印刷装置に余分な負荷をかけずに出力物を得ることができる。
【００３１】
逆に、利用している撮影装置が古くて、印刷装置側に最新の顔検出機能があることが分かれば、印刷装置の検出器の顔検出機能が選択される。
【００３２】
ステップＳ５０２で、印刷装置の検出器の顔検出機能が優先するという選択が受け付けられた場合には、ステップＳ５０４に処理が進む。
【００３３】
一方、ステップＳ５０２で、撮影装置の検出器の顔検出機能が優先するという選択が受け付けられた場合には、ステップＳ５０３に処理が進む。
【００３４】
ステップＳ５０４で、印刷装置の検出器の顔検出機能を用いて、顔検出が実行される。
【００３５】
次に、ステップＳ５０５で、画像の補正処理が、印刷装置で実行される。
【００３６】
ステップＳ５０３では、撮影装置の検出器の顔検出機能を用いて、顔検出が実行される。また、ステップＳ５０３では、後述するように、画像補正を、印刷装置で抑制しても良い。
【００３７】
ここで、複数の撮影装置が存在する場合には、複数の撮影装置のモデルごとに検出器の検出機能に関する情報を管理するＤＢ（データベース）を印刷装置本体に構築しても良い。そして、撮影装置からの撮影画像データのＥｘｉｆ情報を用いて、撮影装置のモデルを識別し、撮影装置からの入力画像に応じて画像処理を切り替えても良い。
【００３８】
ここで、印刷装置の画像補正処理としては、顔領域の明るさを解析することで、例えば、逆光シーンであることを判定し、顔の明るさを最適なものとするような補正が可能である。また、顔がないシーンもしくは検出が困難なシーンでは、撮影装置の検出器の検出結果が得られないこともある。その場合には、風景シーンであると判定するなど、彩度強調するような別の画像補正処理が印刷装置において可能となる。
【００３９】
ただし、本実施形態においては、画像補正処理の種類や方法そのものには何ら制限を受けるものではなく、検出結果を利用した画像補正処理であれば、どのような補正処理にも適用できることは言うまでもない。また、画像補正処理の範疇には、オリジナル画像をそのまま出力するのがよいと判断して、補正処理を行わないことも含まれることは言うまでもない。
【００４０】
上記の説明では、検出機能の例として、顔検出機能を用いて説明したが、本実施形態は、顔検出機能以外の検出機能に適用されても良い。
【００４１】
また、本実施形態では、撮影装置と印刷装置が接続されている形態について説明したが、撮影装置とディスプレイなどの表示装置が接続されている形態についても、本実施形態を適用できる。この場合、撮影装置と表示装置の双方に検出機能をもたせる。
【００４２】
＜実施形態２＞
以下、本発明に係る第２の実施形態の画像処理装置を説明する。  
第１の実施形態では、撮影装置と印刷装置双方の検出機能のどちらを選択するかが、例えば、ユーザインターフェイス上で受け付けられた。
【００４３】
撮影装置と印刷装置が同じメーカーである場合には、同じ検出器が、撮影装置と印刷装置の双方に搭載される場合がある。また、検出器のみを提供するメーカーもあるため、異なるメーカーのデバイス間であっても、同じ検出器を利用していることも考えられる。
ただし、いずれの場合でも、製品のリリース時期に応じて、検出器の検出機能の性能向上のためのバージョンアップは実施されていくものと考えられる。
【００４４】
そこで、本実施形態では、図４のＥｘｉｆ必須タグに記述された検出器の検出機能のバージョン情報４０４によって、撮影装置による入力画像から検出器の検出機能のバージョンを認識する。
【００４５】
すなわち、本実施形態では、検出器の検出機能のバージョンの情報に基づいて、性能の高い検出器の検出機能が自動的に選択される。また、本実施形態では、必要に応じて、撮影装置のモデル名も用いて、検出機能の選択が行われる。
【００４６】
また、撮影装置と印刷装置の検出器の検出機能のバージョンが同じ場合には、少なくとも印刷装置の検出器の検出機能は用いられない。これにより、印刷装置の処理負荷を低減することができる。印刷装置の検出器の検出機能が用いられなくても、撮影装置の検出器の検出機能は、被写体を動画として扱うことができるため、一般的に、被写体の動きを利用して性能をあげることができる。
【００４７】
図６は、本実施形態における画像処理フローの一例を示す。図６に示されている処理は、例えば、印刷装置１０１のＣＰＵ１０２によって実行される。
【００４８】
ステップＳ６０１で、図４のＥｘｉｆ必須タグに記述された検出器の検出機能のバージョン情報４０４によって、撮影装置と印刷装置のどちらの検出器の顔検出機能を優先するかについての選択が受け付けられる。
【００４９】
ステップＳ６０１で、撮影装置の検出器の顔検出機能を優先するという選択が受け付けられた場合には、ステップＳ６０２に処理が進む。
【００５０】
一方、ステップＳ６０１で、撮影装置の検出器の顔検出機能を優先せず、印刷装置の検出器の顔検出機能を優先するという選択が受け付けられた場合には、ステップＳ６０３に処理が進む。
【００５１】
ステップＳ６０２で、撮影装置の検出器による顔検出結果が取得される。
【００５２】
次に、ステップＳ６０４で、ステップＳ６０２で取得された顔検出結果に基づいて、画像補正処理が実行される。そして、処理が終了する。
【００５３】
ステップＳ６０３で、印刷装置の検出器により顔検出が行われ、ステップＳ６０４に処理が進む。
【００５４】
ここで、撮影装置および印刷装置のメーカーが同じメーカーであれば、印刷装置が、撮影装置の画像補正処理の内容を認識できていることが考えられる。このとき、画像補正処理そのものが同じものである場合には、図５のステップＳ５０３のように画像補正処理を、印刷装置で抑制することもできる。さらに、複数の画像補正処理を有する場合には、撮影装置にはない画像補正処理だけを適用することで、効率的な画像補正処理を実現できる。
【００５５】
＜実施形態３＞
以下、本発明にかかる第３の実施形態の画像処理装置を説明する。
【００５６】
本発明に係る第１の実施形態によれば、例えば、撮影装置と印刷装置のどちらの検出器の顔検出機能を選択するかがユーザインターフェイス上で受け付けられる。
【００５７】
また、本発明に係る第２の実施形態では、撮影装置および印刷装置で同じ種類の検出器の検出機能のバージョン情報に基づいて、自動的に優先される検出機能が選択される。
【００５８】
ここで、例えば、検出機能のバージョン情報は、図４のＥｘｉｆ必須タグ４０２に格納される。Ｅｘｉｆ必須タグ４０２は、通常、メーカー間で非公開としていることも多いため、たとえ、同じ種類の検出器を利用するデバイス間であっても、検出器の検出機能のバージョンを取得できないケースも考えられる。
【００５９】
そこで、本実施形態は、ユーザインターフェイスも用いず、撮影装置および印刷装置の双方の検出器の検出機能のバージョン情報も用いないで、検出機能を選択する。
【００６０】
図７は、本実施形態における画像処理フローの一例を示す。図７に示されている処理は、例えば、印刷装置１０１のＣＰＵ１０２によって実行される。
【００６１】
本実施形態に係る印刷装置は、例えば、印刷装置が搭載する検出器の検出機能の性能を十分に熟知することができる。このような場合、印刷装置は、印刷装置に搭載されている検出器の検出機能が検出するのを不得手とする画像も把握することができる。例えば、印刷装置は、極端に暗いシーンの顔検出性能は低い、あるいは、暗いシーンの顔検出をターゲットにしているため、逆に明るいシーンでは検出性能が低い、などの印刷装置の検出器の検出機能の特性を把握できる。
【００６２】
そこで、本実施形態では、図７に示されている以下のような処理が行なわれる。
【００６３】
まず、ステップＳ７０１で、印刷装置で印刷が行われるときに、印刷装置の入力画像のヒストグラム解析が行われ、印刷装置の検出器が検出するのが不得手な画像であるか否かが判定される。
【００６４】
ステップＳ７０１で、印刷装置の入力画像が、印刷装置の検出器が検出するのが不得手な画像であると判定された場合には、ステップＳ７０２に処理が進む。
【００６５】
一方、ステップＳ７０２で、印刷装置の入力画像が、印刷装置の検出器が検出するのが不得手な画像でないと判定された場合には、ステップＳ７０３に処理が進む。
【００６６】
ステップＳ７０２で、撮影装置の検出器の検出機能により顔検出結果が取得される。
【００６７】
次に、ステップＳ７０４で、ステップＳ７０２の顔検出結果に基づいた画像補正処理が実行される。
【００６８】
ステップＳ７０３で、印刷装置の検出器の検出機能を用いて検出が実行され、ステップＳ７０４に処理が進む。
【００６９】
ステップＳ７０２で、印刷装置の検出器が検出を不得手とする入力画像に対する撮影装置の検出結果も得られない場合には、検出結果が得られない場合の画像補正処理が、ステップＳ７０４で行われる。
【００７０】
また、印刷装置の検出器が不得手とする入力画像に対して、撮影装置の検出器の検出機能により、検出が成功している場合には、撮影装置の検出器の検出機能が優先されても良い。
【００７１】
この場合には、撮影装置の検出器の検出機能が優先された時点から、それ以降の入力画像に対して、撮影装置の検出器の検出機能が検出に用いられても良い。また、この場合でも、設定された撮影装置の検出器の検出機能が検出に用いられても良い。また、入力画像ごとに印刷装置の検出器が検出を不得手とする入力画像か否かを判定されても良い。ここで、印刷装置の検出器が検出を不得手とする入力画像であると判定された場合には、撮影装置の検出器の検出機能による検出が行われ、画像補正処理が実行されても良い。
【００７２】
また、撮影装置と印刷装置の検出器の検出機能から、一つの検出機能が選択される場合に、より簡易的には、撮影装置と印刷装置の両方の検出器の検出機能の検出結果が比較されて、一つの検出機能が選択されても良い。例えば、撮影装置と印刷装置の検出器の検出機能により、一定の人数が検出された画像データにおいて、以下のような処理が行なわれても良い。すなわち、撮影装置と印刷装置の検出器のどちらの検出機能がより多くの人を検出できたかによって、一つの検出機能が選択されても良い。
【００７３】
さらに、撮影装置の検出器の検出機能の検出領域によっては、印刷装置の画像補正処理に相応しくない場合も考えられる。
【００７４】
具体的には、撮影装置の検出器の検出機能は、顔領域の周りも含めて大きく領域を検出する場合もある。一方、印刷装置の画像補正処理が、肌色領域に特化した検出結果を要求する場合には、撮影装置の検出器の検出結果は相応しくないことも起こりえる。
【００７５】
また、印刷装置の検出器の検出機能は、顔領域の周りも含めて大きく領域を検出する場合もある。一方、撮影装置の画像補正処理が、肌色領域に特化した検出結果を要求する場合には、印刷装置の検出器による検出結果は相応しくないことも起こりえる。
【００７６】
このように、印刷装置の画像補正処理の特性に応じて、撮影装置の検出器の検出機能が決定されても良い。
【００７７】
＜実施形態４＞
以下、本発明にかかる第４の実施形態の画像処理装置を説明する。
【００７８】
第１の実施形態によれば、例えば、撮影装置と印刷装置のどちらの検出器の顔検出機能を選択するかがユーザインターフェイス上で受け付けられる。
【００７９】
第２、第３の実施形態によれば、撮影装置と印刷装置のどちらの検出器の顔検出機能を選択するかが自動的に決定される。
【００８０】
コンシューマ製品である撮影装置や印刷装置は、毎年、多くの製品がリリースされる。そのため、工業製品にあまり詳しくないユーザからすると、撮影装置および印刷装置の検出器の性能を把握することは困難である場合も考えられる。
【００８１】
そこで、本実施形態では、データベース（ＤＢ）を利用して、撮影装置と印刷装置のどちらの検出器の検出機能を選択するかを決定する。
【００８２】
このデータベースには、撮影装置と印刷装置の組み合わせにおいて、どの装置の検出器の検出機能を選択すべきかを評価したデータが格納されている。
【００８３】
上記のようなデータベースは、例えば、印刷装置のメーカーによって構築されても良い。
【００８４】
本実施形態において、図３の印刷装置３０４は、パーソナルコンピュータ３０３を介してネットワーク環境につながっており、入力画像データのモデル名と印刷装置のモデル名とともに評価ＤＢ３０７に問い合わせる。そして、印刷装置３０４は、撮影装置と印刷装置の組み合わせにおいて、どの装置の検出器の検出機能を選択すべきかを評価したデータを取得する。
【００８５】
印刷装置３０４は、入力画像データのモデル名が変更されるか、入力画像に複数のモデル名があるときは、随時ＤＢに問い合わせを行い、その情報を取得し、印刷装置で管理する。
【００８６】
ここで、評価ＤＢ３０７は、インターネット上にあってもよいし、ユーザがメーカーのＷｅｂサイトからパーソナルコンピュータ３０３にダウンロードしても良い。
【００８７】
また、印刷装置３０４が、ネットワークプリンタであれば、直接、インターネット上の評価ＤＢ３０７に問い合わせを行っても良い。
【００８８】
また、印刷装置３０４が、常時、ネットワークにつながっている環境であれば、印刷ごとに、評価ＤＢ３０７に問い合わせても良い。
【００８９】
さらに、評価ＤＢ３０７は、画像補正処理の制御フラグを含んでいても良い。例えば、この制御フラグを指定した場合には、撮影装置の検出器の検出機能の肌色補正が、印刷装置の検出器の検出機能の肌色補正と同じ、もしくは十分近い場合に、印刷装置の検出器の検出機能で肌色補正が実行されない。
【００９０】
また、最近のＷｅｂ環境の中では、ユーザ参画型のサイトも普及しているため、オープン型のサイトを運営して、ユーザインターフェイス上で、ユーザの入力を受け付けて、評価ＤＢがアップデートされても良い。この場合、撮影装置と印刷装置の膨大な組み合わせにおいて、どの装置の検出器の検出機能を選択すべきかを評価したデータを、インターネットユーザの協力によって、簡単に、評価ＤＢ３０７に集積することができる。
【００９１】
＜他の実施形態＞
前述した実施形態の機能を実現するように前述した実施形態を動作させるプログラムを記録媒体に記憶させ、該記録媒体に記憶されたプログラムをコードとして読み出し、コンピュータにおいて実行する処理方法も上述の実施形態の範疇に含まれる。
【００９２】
該記録媒体は、コンピュータ読み取り可能な記録媒体である。また、前述のプログラムが記憶された記録媒体はもちろんそのプログラム自体も上述の実施形態に含まれる。
【００９３】
かかる記録媒体としては、たとえばフロッピー（登録商標）ディスク、ハードディスク、光ディスク、光磁気ディスク、ＣＤ―ＲＯＭ、磁気テープ、不揮発性メモリカード、ＲＯＭを用いることができる。
【００９４】
また前述の記録媒体に記憶されたプログラム単体で処理を実行しているものに限らず、他のソフトウエア、拡張ボードの機能と共同して、ＯＳ上で動作し前述の実施形態の動作を実行するものも前述した実施形態の範疇に含まれる。
【図面の簡単な説明】
【００９５】
【図１】印刷装置内のハードウェアの一例を示す図である。
【図２】印刷装置の接続環境の一例を示す図である。
【図３】印刷装置の接続環境の一例を示す図である。
【図４】Ｅｘｉｆファイルのデータ構造を示す図である。
【図５】実施形態１の画像処理装置における動作手順の一例を示すフローチャートである。
【図６】実施形態２の画像処理装置における動作手順の一例を示すフローチャートである。
【図７】実施形態３の画像処理装置における動作手順の一例を示すフローチャートである。
【符号の説明】
【００９６】
１０１  印刷装置
１０２  ＣＰＵ
１０３  ＲＯＭ
１０４  ＲＡＭ
１０５  プリンタエンジン
１０６  表示部
１０７  スキャナエンジン
１０８  ユーザインターフェイス
１０９  シリアルＩ／Ｆ
１１０  外部機器
２０１  撮影装置
２０２  メモリカード
２０３  印刷装置
３０１  メモリカード
３０２  カードリーダ
３０３  パーソナルコンピュータ
３０４  印刷装置
３０５  ルータ
３０６  インターネット
３０７  評価ＤＢ
【図１】
2010010947.tif 000003
【図２】
2010010947.tif 000004
【図３】
2010010947.tif 000005
【図４】
2010010947.tif 000006
【図５】
2010010947.tif 000007
【図６】
2010010947.tif 000008
【図７】
2010010947.tif 000009